(57)【要約】【課題】  腋臭症の治療は各種の手術方法が採用されており、重症の場合は、従来はこれらの手術方法に頼らざるを得なかった。しかしながら、手術によって腋毛がなくなっては困る男性とか、手術が怖くてどうしても手術を受けたくない人に対しての効果的な治療法がなかった。また、軽症の場合は、軟膏、スプレーなどの薬剤を用いる手段があるが、十分な効果が得られない場合が多かった。【解決手段】  交流波形の微弱電流を両腋の皮膚に流す可撓性の一対の面状電極であって、該面状電極は少なくとも表面が銀からなる導電性布袋からなる導電面を有し、該導電性布袋の内部に吸水性スポンジを挿入してパッド状にしたものであることを特徴とする腋臭症治療用パッド式面状電極構造。また、このパッド式面状電極構造と交流波形の微弱電流を流す微弱電流発生器とからなることを特徴とする微弱電流による腋臭症治療器具。【選択図】        図２  
2005192651.tif 000002
【特許請求の範囲】
【請求項１】
交流波形の微弱電流を両腋の皮膚に流す可撓性の一対の面状電極であって、該面状電極は
少なくとも表面が銀からなる導電性布袋からなる導電面を有し、該導電性布袋の内部に吸
水性スポンジを挿入してパッド状にしたものであることを特徴とする腋臭症治療用パッド
式面状電極構造。
【請求項２】
導電性布はナイロン繊維に銀をコーティングした糸をニット状に編んだものからなること
を特徴とする請求項１記載の腋臭症治療用パッド式面状電極構造。
【請求項３】
一対の導電性布袋のそれぞれに微弱電流発生器と電気的に接続するための通電コードに接
続用の電極ホックが設けられていることを特徴とする請求項１記載の腋臭症治療用パッド
式面状電極構造。
【請求項４】
スポンジはカテキンを添加した抗菌性、消臭作用を持ったウレタンフォームからなること
を特徴とする請求項１記載の腋臭症治療用パッド式面状電極構造。
【請求項５】
請求項１ないし４のいずれかに記載の腋臭症治療用パッド式面状電極構造と交流波形の微
弱電流を流す微弱電流発生器とからなることを特徴とする微弱電流による腋臭症治療器具
。
【請求項６】
微弱電流発生器は、異なるパターンの交流方形波を連続的に組み合わせた複数種の交流波
形を出力できるようにしたものであることを特徴とする請求項５記載の微弱電流による腋
臭症治療器具。
【請求項７】
微弱電流発生器は、±０．３〜±３．７Ｖの電圧で、生体内に５００μＡ以下の電流を０
．３〜０．４秒の周期の交流波形で流すようにしたものであることを特徴とする請求項６
記載の微弱電流による腋臭症治療器具。
【発明の詳細な説明】
【技術分野】
【０００１】
本発明は、腋臭臭の発生の抑制を目的として使用する微弱電流による腋臭症治療用パッ
ド式電極構造とそれを用いた腋臭症治療器具に関する。
【背景技術】
【０００２】
これまで、腋臭症の治療手段としては、(1)切除法、(2)せん除法、(3)皮下組織掻爬法
（キュレット法） 、(4)皮下組織削除法、(5)皮下組織吸引法、(6)超音波法、(7)レーザ
ー治療法などが用いられてきた。このような手術に代わるものとして、腋臭の原因となる
発汗を抑制する器具が開発されている（特許文献１）。
【０００３】
【特許文献１】特表２００２−５３８９０４号公報
【発明の開示】
【発明が解決しようとする課題】
【０００４】
腋臭症の治療は上記のように各種の手術方法が採用されており、重症の場合は、従来は
これらの手術方法に頼らざるを得なかった。しかしながら、手術によって腋毛がなくなっ
ては困る男性とか、手術が怖くてどうしても手術を受けたくない人に対しての効果的な治
療法がなかった。また、軽症の場合は、軟膏、スプレーなどの薬剤を用いる手段があるが
、十分な効果が得られない場合が多かった。
【課題を解決するための手段】
【０００５】
人間の体には各細胞から発生する微弱電流（生体電流）が流れている。この電流は１０
〜２００μＡ（マイクロアンペア）程度の微弱電流である。低周波治療器具や干渉波治療
器具には通常、ミリアンペアの電流が使用されているが、微弱電流はミリアンペアの１／
１０００のレベルの電流であり、このマイクロアンペアを利用した美容器具や創傷治療器
具が工夫されている。
【０００６】
これらの美容器具や治療器具は皮膚表面や創傷部の電気刺激を利用したものであるが、
腋臭のようなアポクリン汗腺や皮脂腺などの皮膚直下の組織を対象とするするものではな
かった。
【０００７】
本発明者は、微弱電流が表皮直下の真皮組織の皮脂腺部分に十分に作用するように腋部
に微弱電流を十分に効率的に流すことによって腋臭臭の発生を抑制できることを見出した
。
【０００８】
すなわち、本発明は、（１）交流波形の微弱電流を両腋の皮膚に流す可撓性の一対の面
状電極であって、該面状電極は少なくとも表面が銀からなる導電性布袋からなる導電面を
有し、該導電性布袋の内部に吸水性スポンジを挿入してパッド状にしたものであることを
特徴とする腋臭症治療用パッド式面状電極構造、である。
【０００９】
また、本発明は、（２）導電性布はナイロン繊維に銀をコーティングした糸をニット状
に編んだものからなることを特徴とする上記（１）の腋臭症治療用パッド式面状電極構造
、である。
また、本発明は、（３）一対の導電性布袋のそれぞれに微弱電流発生器と電気的に接続
するための通電コードに接続用の電極ホックが設けられていることを特徴とする上記（１
）の腋臭症治療用パッド式面状電極構造、である。
また、本発明は、（４）スポンジはカテキンを添加した抗菌性、消臭作用を持ったウレ
タンフォームからなることを特徴とする上記（１）の腋臭症治療用パッド式面状電極構造
、である。
【００１０】
また、本発明は、（５）上記（１）ないし（４）のいずれかの腋臭症治療用パッド式面
状電極構造と交流波形の微弱電流を流す微弱電流発生器とからなることを特徴とする微弱
電流による腋臭症治療器具、である。
また、本発明は、（６）微弱電流発生器は、異なるパターンの交流方形波を連続的に組
み合わせた複数種の交流波形を出力できるようにしたものであることを特徴とする上記（
５）の微弱電流による腋臭症治療器具、である。
また、本発明は、（７）微弱電流発生器は、±０．３〜±３．７Ｖの電圧で、生体内に
５００μＡ以下の電流を０．３〜０．４秒の周期の交流波形で流すようにしたものである
ことを特徴とする上記（６）の微弱電流による腋臭症治療器具、である。
【００１１】
従来、腋臭の原因は、アポクリン汗腺から出た汗が腋毛に貯留し、皮膚表面の細菌を栄
養として増殖し、この汗を分解して脂肪酸やアンモニアとなって悪臭を発生させるとされ
ていた。しかし、本発明者の腋臭症の研究によってアポクリン汗腺ではなく皮脂腺の中に
細菌が認められた。また、皮脂腺中の過酸化脂質の量が、その周囲の脂肪の過酸化脂質の
量より有意的に多いことが分かった。
【００１２】
そこで、この事実からして、腋臭の臭いの発生に関して以下のように考えられる。すな
わち、皮脂腺に細菌が付着すると、そこに活性酸素が発生する。活性酸素は皮脂腺の脂肪
を酸化して過酸化脂質に変化させる。腋臭症は常染色体優性遺伝であり、腋臭症体質の人
はこの過酸化脂質を分解させて臭いを発生する酵素を遺伝的に持っているのではないかと
考えられる。
【００１３】
本発明者は、上記のとおり腋臭と活性酸素との関係の研究過程において、美容器具とし
て開発され使用されているマイクロアンペアの電流刺激が意外にも腋臭症の治療に顕著な
効果をもたらすことを見出した。この美容器具は美容用交流波形を用いたものである（発
明者；元井真吾、特願２０００−８９７１号、特開２００１−１９８２２７号公報、米国
特許第６５８４３５９号明細書 ）。
【００１４】
本発明の腋臭症治療用パッド式電極構造において、銀は、導電性に優れ、微弱電流を皮
膚直下まで良好に伝導する物質であり、少なくとも表面が銀からなる可撓性の導電性布袋
を導電面とする面状電極として腋の皮膚表面に接触させて交流波形の微弱電流を流した場
合、真皮組織内に流れて皮脂腺での活性酸素の発生を抑制する。微弱電流によって腋の皮
膚表面で活性酸素の発生が抑制されるので過酸化脂質が増えず、腋臭臭が発生し難くなる
。また、銀は、抗菌性の大きい物質であり、少なくとも表面が銀からなる導電性布袋を腋
の下に挟んで身体に接触させた場合、皮脂腺での細菌の繁殖を防止し活性酸素の発生を減
らすので、微弱電流の作用とともに銀の作用による二重の活性酸素の発生を抑制する効果
がある。
【００１５】
本発明の腋臭症治療用パッド式電極構造を使用する際には、導電度が高く銀を変色させ
ない中性の液体、例えば水道水などの水でパッド式電極構造を濡らすことによって電気を
通りやすくすることが望ましい。また、時間経過と共に体温でパッドの表面が乾燥してし
まうのを防ぐために、スポンジを水で濡らして導電性布袋の中に入れておくと布袋の乾燥
を防ぐとこができる。また、スポンジを用いると、腋の下は窪んでいるので導電性布袋が
そこにピッタリとフイットして電気が通りやすくなる効用がある。このパッド式電極構造
を両腋の下に挟み、微弱電流発生器から通電するとそれぞれの腋に挟んだパッド間に体内
を通して交流波形の電流が流れて、皮脂腺に電流刺戟が与えられる。
【００１６】
微弱電流発生器の電流は、実際の生体に現れる生体電流に極力類似させられており、皮
膚に安全に、且つ使用者が危惧を抱かずに使用できる微弱電流である。すなわち、±０．
３〜±３．７Ｖの電圧で、生体内に５００μＡ程度以下の電流、好ましくは生体電流と同
じく約１０〜２００μＡ程度の電流が流れるようにする。
【００１７】
通電する電流は生体電流と同じレベルの微弱なものなので両腋に通電中に使用者は何ら
刺戟を感じない。生体の細胞膜の内側はプラス、外側はマイナスに帯電しており、これは
静止膜電位と呼ばれる。この電位は通常５０〜１００ｍＶ程度の電圧を生じている。細胞
が損傷し傷つくとその外側のプラスから内側のマイナスへ損傷電流と呼ばれる電流が流れ
込む。このように、細胞自体が損傷電流を流すことで損傷部の治療が促進される。この電
流は１０μＡ〜３０μＡ程度である。細胞膜は、静止膜電位の分極（−５０〜−１００ｍ
Ｖ）の程度が減少する（マイナスが小さくなる）脱分極と、逆に静止膜電位が大きくなる
過分極、活動電位が回復して静止電位に戻る再分極を繰り返している。活動電位は細胞の
興奮に伴う現象である。本発明の腋臭治療器具に用いる微弱電流は二つの面状電極間を流
れるプラスとマイナスがそれぞれ約０．３〜０．４秒の周期の交流波形で生体内に約１０
〜５０μＡの強さの電流を生じるようにした場合、この細胞膜の活動電位の周期と最もよ
く整合しているので好ましい。
【発明の効果】
【００１８】
本発明は、従来、手術療法に頼るしかなかった腋臭症の治療に不安や苦痛を伴わない新
たな手法をもたらすことができる。この治療器具を用いた場合は、従来の手術療法のよう
に脱毛が起きる弊害も生じない。さらに、本発明のパッド式電極は腋に挟むことで両手を
使う必要がないので使用中に両手を自由に使うことができ、疲れることもない。
【発明を実施するための最良の形態】
【００１９】
以下、本発明の実施の形態を図面に基づいて詳細に説明する。上記の特開２００１−１
９８２２７号公報に記載されている美容器具は、両手に絶縁性を施した状態で両手に嵌め
る一対の導電性手袋と、導電性手袋と電気的に接続するコード、導電性手袋に美容効果を
持つ交流波形を有する微弱電流を出力する微弱電流発生器からなっている。そして、この
手袋を手に嵌め、手袋を肌に接触させて、手袋を介して肌に通電することによって肌の美
容効果を得るものである。本発明者は、この美容器具用手袋を以下のように改良すること
によって腋臭症治療器具として優れた作用がもたらされる構成とした。
【００２０】
図１は、本発明のパッド式電極と微弱電流発生器とからなる腋臭症治療器具の使用態様
を示す説明図である。本発明の腋臭症治療器具は、微弱電流発生器１と、通電コード２と
、一対の導電性パッド３ａ、３ｂからなる面状電極とから構成されている。微弱電流発生
器１内には、図示しない電流制御回路が内蔵され、例えば、出力電圧の可変制御、異なる
パターンの交流方形波を連続的に組み合わせた複数種の交流波形を、さらに連続的に組み
合わせて、交流波形の微弱電流を出力できるようになっている。
【００２１】
この交流波形自体は上記特開２００１−１９８２２７号公報に記載されている公知の美
容用交流波形を使用すればよい。例えば、基準電位を中心に、プラス側レベルの電位とマ
イナス側レベルの電位とで表示する場合に、第１基準時間の時間間隔で両レベルの電位の
一方のレベルの電位と、他方のレベルの電位とを交互に指示する交流方形波パターンを１
回示す単独パターンと、前記単独パターンを３回連続する３回連続パターンと、前記基準
電位を前記第１基準時間の２倍時間指示するポーズとを、前記３回連続パターン、前記ポ
ーズ、前記３回連続パターン、前記ポーズ、前記単独パターン、前記ポーズ、前記単独パ
ターン、前記ポーズ、前記単独パターン、前記ポーズ、前記単独パターン、前記ポーズの
順で連続的に組み合わせて形成される組合せ交流波形を用いることができる。これらの波
形は、細胞膜が電気刺戟に慣れてしまわないようにするために常に異なった波形が出るよ
うに設計された交流波形である。
【００２２】
微弱電流発生器１には操作パネル１ａが設けられ、タッチ式のＯＮ用メインスイッチ４
ａと、ＯＦＦ用メインスイッチ４ｂが設けられている。ＯＮ用メインスイッチ４ａを押す
ことにより、微弱電流発生器１を交流波形の微弱電流を出力することができる状態にする
。この状態で、一対の導電性パッド３ａ、３ｂからなる面状電極を、通電コード２で微弱
電流発生器１に接続する。  
【００２３】
上記構成の一対の導電性パッド３ａ、３ｂからなる面状電極には、通電コード２との接
続端子の役目を果たす電極ホック５ａ、５ｂが設けられている。通電コード２は、一対の
導電性パッド３ａ、３ｂからなる面状電極用のリード線２ａ、２ｂを有し、リード線２ａ
、２ｂの一端側には、一対の導電性パッド３ａ、３ｂからなる面状電極のそれぞれの電極
ホック５ａ、５ｂと着脱自在に嵌め合わせる電極ホック６ａ、６ｂが設けられている。リ
ード線２ａ、２ｂの他端側は、途中で互いに接合させられて共通のジャック７に接続され
ている。
【００２４】
微弱電流発生器１の出力端子口８に通電コード２のジャック７を着脱自在に差し込むこ
とにより、異なるパターンの交流方形波を連続的に組み合わせてなる複数種の交流波形を
さらに連続的に組み合わせた交流波形を有する交流を一対の導電性パッド３ａ、３ｂから
なる面状電極に供給することができる。
【００２５】
微弱電流発生器１では、発生させる交流の電圧範囲を変更させることができるようにな
っている。例えば、交流電圧を弱い電圧として±０．３Ｖ〜±１．３Ｖ、供給電流０．５
〜１．７５ｍＡと、強い電圧として±０．９Ｖ〜±３．７Ｖ、供給電流１．３〜３．２ｍ
Ａとの２系列に切替えができるようになっている。各系列は、さらに、複数段階に電圧を
変えることができる。図１に示す場合には、８段階に切替えできるように構成されている
。
【００２６】
交流波形は、微弱電流発生器１に内蔵された中央演算処理装置（ＣＰＵ）内に組み込ま
れたプログラムによって電流制御回路が制御されて出力端子８に出力されることとなる。
この出力端子８に一対の導電性パッド３ａ、３ｂを接続することにより、一対の導電性パ
ッド３ａ、３ｂを面状電極として両者の間で交流波形の微弱電流が供給され、通電中マイ
ナス極とプラス極とが交互に変化することになる。
【００２７】
図２（Ａ）は、本発明の腋臭症治療用パッド式電極３の正面図、図１（Ｂ）は、平面図
である。このパッド式面状電極３の少なくとも表面は、導電面とする必要があり、例えば
、銀糸で編んだ布を袋状に加工した導電性布袋３１を用いる。導電性布袋３１の大きさは
腋の下に挟みやすい１０ｃｍ×１０ｃｍ程度が好ましい。布の厚みは０．５〜０．６ｍｍ
程度であればよい。図２の場合は、パッド式面状電極３の両面とも銀の場合を示している
。
【００２８】
導電性布袋３１の素材は、合成繊維や天然繊維の表面を銀めっきや蒸着などで被覆した
糸を編んだもの、多層ナイロン織物を銀メッキしたもの、銀のフイラメントと合成繊維又
は天然繊維とを混紡した糸を編んだものなどを使用できる。耐久性や皮膚との接触性から
は、アクリル繊維などの重合体に銀粉末を混練して紡糸した銀糸が好ましい。銀粉末の含
有量としては、布の電気抵抗が１ｋΩ以下になるように混入すればよい。また、ナイロン
繊維に銀をコーティングした糸をニット状に編みこんで作った布は縫い目がなく糸のほこ
ろびがおき難いので好ましい。
【００２９】
この導電性布袋３１の内部にスポンジ３２を挿入するためのスポンジ挿入口４１を設け
る。スポンジ３２の大きさは導電性布袋３１の内部の容積程度であればよい。スポンジ３
２としては、吸水性ウレタンスポンジ、ＰＶＡスポンジなどの高吸水性スポンジを用いる
とよい。また、肌に対して無害なカテキンを添加した抗菌性、消臭作用を持ったウレタン
フォームは特に好ましい。  
【００３０】
導電性布袋３１からなる面状電極の一部に通電コードを接続する電極ホック５を設けて
おけば、微弱電流発生器１との通電コード２の先端部に設けた電極ホック６による接続が
容易にできる。この電極ホック５の位置は、使用時にパッド３を腋に挟んだときに腋の下
方になるようにスポンジ挿入口４１近傍の外側になる位置に設けると取り扱いやすい。
【００３１】
本発明の腋臭症治療用パッド式面状電極を使用する場合は、導電性布袋３１にスポンジ
３２を挿入した後、導電性布袋３１とスポンジ３２の両者を水、好ましくは微温湯で濡ら
すか、スポンジ３２に水を十分含ませた後に導電性布袋３１に挿入してもよい。導電性布
袋３１の表面も水やその他の導電性液体などの清潔な液体で濡らした方が導電性を高める
上で好ましい。その後、図３に示すように、微弱電流発生器１とパッド３ａ，３ｂからな
る面状電極を通電コード２a，２ｂで電気的に接続して、パッド３ａ，３ｂからなる面状
電極をそれぞれ身体の両腋に挟み、微弱電流発生器１のスイッチを入れて作動させる。面
状電極３を両腋に１つづつ挟むことによって、両面状電極の導電面全体から流れ出る交流
波形の電流は体表部を通って両面状電極間を流れ、腋の真皮組織を刺激することになる。
パッドの使用後は、導電性布袋とスポンジを洗浄、消毒し、別々に乾燥させておけば再使
用できる。
【００３２】
本発明の腋臭症治療器具の使用時間は１日１回１０〜２０分程度、１週間に１〜２回程
度で腋臭臭の抑制効果が認められる。図４（Ａ）は、本発明の腋臭症治療器具による治療
前の腋窩皮脂腺の病理組織像（ＨＥ染色、光学顕微鏡４００倍）であり、図４（Ｂ）は、
本発明の腋臭症治療器具による治療（1回20分、2ヶ月で20回）の腋窩皮脂腺の病理組織像
（ＨＥ染色、光学顕微鏡４００倍）である。治療前は、細菌の黒い顆粒が認められるが、
治療後はその黒い顆粒が消滅していることがわかる。
【産業上の利用可能性】
【００３３】
本発明の腋臭治療用パッド式面状電極を用いた微弱電流による腋臭症治療器具は、安全
で、痛みや不快感を与えず、操作が容易で持ち運び可能な器具であり病院のみならず家庭
でも使用できる。
【図面の簡単な説明】
【００３４】
【図１】本発明のパッド式面状電極と微弱電流発生器とからなる腋臭症治療器具の使用態様を示す説明図である。
【図２】（Ａ）は、本発明の腋臭症治療用パッド式面状電極の正面図、（Ｂ）は、平面図である。
【図３】本発明の腋臭症治療器具の使用態様を示す概念図である。
【図４】本発明の腋臭症治療器具を使用する前（Ａ）と後（ｂ）の腋窩皮脂腺の病理組織像を示す図面代用の光学顕微鏡写真である。
【符号の説明】
【００３５】
１  微弱電流発生器
３  パッド式面状電極
【図１】
2005192651.tif 000003
【図２】
2005192651.tif 000004
【図３】
2005192651.tif 000005
【図４】
2005192651.tif 000006